(57)【特許請求の範囲】
【請求項１】
ロール紙を繰り出し可能に保持する軸部を備えたロール紙ホルダと、
前記ロール紙を仮置きする仮置き部と、
ロール紙が載る載置部を備え、前記仮置き状態のロール紙の端部を前記載置部に載せて前記ロール紙ホルダの軸部の高さ位置まで持ち上げてロール紙のロール芯の芯口と前記軸部との位置合わせを可能にするロール紙持ち上げ装置と、を備え、
前記ロール紙持ち上げ装置は、前記載置部を有し上下方向に昇降可能な昇降部と、
支点を中心にして回動可能な操作レバーと、
前記操作レバーの前記支点寄りの位置において、当該操作レバーの上下方向の回動を前記昇降部の上下動に変換して動力伝達する動力伝達機構と、
を備え、
前記仮置き部は、用紙幅方向にスライド可能に取り付けられたスライド部を有することを特徴とする記録装置。
【請求項２】
請求項１に記載された記録装置において、
前記仮置き部は、用紙幅方向に並設された少なくとも二本の棒体を備え、
前記ロール紙持ち上げ装置は、
前記の棒体に対してスライド可能に取り付けられるスライド部を備え、
該スライド部の上面の位置は、前記棒体の最上点より下方に位置され、
前記載置部は前記スライド部に対して前記棒体の最上点より下方の位置から上方に移動し、該棒体上に仮置きされているロール紙の端部を持ち上げるように構成されていることを特徴とする記録装置。
【請求項３】
請求項１または２に記載された記録装置において、
前記載置部は、ロール紙の傾斜姿勢に追従して揺動可能に構成されていることを特徴とする記録装置。
【請求項４】
請求項１〜３のいずれか１項に記載された記録装置において、
前記ロール紙ホルダは、該ロール紙ホルダの支持本体部に、ロール紙の傾斜姿勢に対応して前記軸部の角度を可変にする可変部を介して取り付けられていることを特徴とする記録装置。
【請求項５】
請求項１〜４のいずれか１項に記載された記録装置において、
前記昇降部は、
前記載置部と、
該載置部から下方に延設される棒状部材と、を備えており、
前記棒状部材が前記スライド部に設けられている案内部に案内されることで当該昇降部は鉛直方向に上下動するように構成されていることを特徴とする記録装置。
【請求項６】
ロール紙を繰り出し可能に保持する軸部を備えたロール紙ホルダと、
前記ロール紙を仮置きする仮置き部と、
ロール紙が載る載置部を備え、前記仮置き状態のロール紙の端部を前記載置部に載せて前記ロール紙ホルダの軸部の高さ位置まで持ち上げてロール紙のロール芯の芯口と前記軸部との位置合わせを可能にするロール紙持ち上げ装置と、を備え、
前記ロール紙持ち上げ装置は、前記載置部を有し上下方向に昇降可能な昇降部と、
支点を中心にして回動可能な操作レバーと、
前記操作レバーの前記支点寄りの位置において、当該操作レバーの上下方向の回動を前記昇降部の上下動に変換して動力伝達する動力伝達機構と、を備え、
前記仮置き部は、
用紙幅方向に並設された少なくとも二本の棒体と、
前記棒体に対してスライド可能に取り付けられると共に、前記ロール紙の端部を仮置き可能に構成されたスライド部と、を備え、
前記スライド部に仮置きされた状態のロール紙と、前記棒体との間に人の手が入る隙間が形成されるように構成され、
前記ロール紙持ち上げ装置の前記載置部は、前記昇降部が上下動する範囲の下限位置に位置している時の該載置部の載置面の位置が前記スライド部の仮置き面の位置と同一に構成されていることを特徴とする記録装置。
【請求項７】
ロール紙を繰り出し可能に保持する軸部を備えたロール紙ホルダと、
前記ロール紙を仮置きする仮置き部と、
ロール紙が載る載置部を備え、前記仮置き状態のロール紙の端部を前記載置部に載せて前記ロール紙ホルダの軸部の高さ位置まで持ち上げてロール紙のロール芯の芯口と前記軸部との位置合わせを可能にするロール紙持ち上げ装置と、を備え、
前記ロール紙持ち上げ装置は、前記載置部を有し上下方向に昇降可能な昇降部と、
支点を中心にして回動可能な操作レバーと、
前記操作レバーの前記支点寄りの位置において、当該操作レバーの上下方向の回動を前記昇降部の上下動に変換して動力伝達する動力伝達機構と、を備え、
前記仮置き部は、用紙幅方向に並設された少なくとも二本の棒体を備え、
前記ロール紙持ち上げ装置は、
前記の棒体に対してスライド可能に取り付けられるスライド部を備え、
該スライド部の上面の位置は、前記棒体の最上点より下方に位置され、
前記載置部は前記スライド部に対して前記棒体の最上点より下方の位置から上方に移動し、該棒体上に仮置きされているロール紙の端部を持ち上げるように構成されていることを特徴とする記録装置。
【請求項８】
請求項１〜７のいずれか１項に記載されたロール紙持ち上げ装置。
【発明の詳細な説明】
【技術分野】
【０００１】
本発明は、ロール紙を繰り出し可能に保持する軸部を備えたロール紙ホルダと、該ロール紙ホルダにロール紙を装着するのに先立ってロール紙を仮置する仮置き部とを備える記録装置及びロール紙持上げ装置に関するものである。
【背景技術】
【０００２】
大型のインクジェットプリンター等の記録装置では、下記の特許文献１に示すようにロール紙の重量が重いことからロール紙を一旦、記録装置の仮置き台に置いてから、記録装置に取り付けられているロール紙ホルダに装着するようになっている。
【０００３】
従来は、前記ロール紙を仮置き台に置いてから、ロール紙ホルダの軸部の高さ位置まで、ユーザーが手で約２〜５ｃｍ程度持ち上げてロール芯の芯口と前記軸部との位置合わせを行い、その後ロール紙ホルダを軸方向に水平にスライドさせて前記軸部を前記芯口に装着していた。
【先行技術文献】
【特許文献】
【０００４】
【特許文献１】特開２００９−２３１７１号公報
【発明の概要】
【発明が解決しようとする課題】
【０００５】
しかし、ロール紙の重量は２０〜３０ｋｇ、更に４０ｋｇ、５０ｋｇのものまであり、このようなロール紙の高重量化に伴い、前記人手によるロール紙の持ち上げ作業をユーザーに委ねることは、ユーザーに重労働を強いることになるという問題が顕在化してきた。
【０００６】
本発明の課題は、ロール紙の高重量化に対応して重量の重いロール紙であっても、ユーザーが重労働無くロール紙ホルダにロール紙を装着できるようにすることにある。
【課題を解決するための手段】
【０００７】
上記課題を解決するために本発明の記録装置の一つの態様は、ロール紙を繰り出し可能に保持する軸部を備えたロール紙ホルダと、前記ロール紙を仮置きする仮置き部と、ロール紙が載る載置部を備え、前記仮置き状態のロール紙の端部を前記載置部に載せて前記ロール紙ホルダの軸部の高さ位置まで持ち上げてロール紙のロール芯の芯口と前記軸部との位置合わせを可能にするロール紙持ち上げ装置と、を備え、前記ロール紙持ち上げ装置は、前記載置部を有し上下方向に昇降可能な昇降部と、支点を中心にして回動可能な操作レバーと、前記操作レバーの前記支点寄りの位置において、当該操作レバーの上下方向の回動を前記昇降部の上下動に変換して動力伝達する動力伝達機構と、を備え、前記仮置き部は、用紙幅方向にスライド可能に取り付けられたスライド部を有することを特徴とする。
また、本発明の第１の態様は、ロール紙を繰り出し可能に保持する軸部を備えたロール紙ホルダと、前記ロール紙を仮置きする仮置き部と、ロール紙が載る載置部を備え、前記仮置き状態のロール紙の端部を前記載置部に載せて前記ロール紙ホルダの軸部の高さ位置まで持ち上げてロール紙のロール芯の芯口と前記軸部との位置合わせを可能にするロール紙持ち上げ装置と、を備え、前記ロール紙持ち上げ装置は、前記載置部を有し上下方向に昇降可能な昇降部と、支点を中心にして回動可能な操作レバーと、前記操作レバーの前記支点寄りの位置において、当該操作レバーの上下方向の回動を前記昇降部の上下動に変換して動力伝達する動力伝達機構と、を備えていることを特徴とするものである。
【０００８】
ここで、「ロール紙」とは、ロール芯の周りにロール状に巻かれた用紙のことを一般に意味するが、本明細書では、ロール芯を含めたものも「ロール紙」と定義することにする。また「用紙」の中には、普通紙、専用紙、写真用の光沢紙の他、ポリエステルフィルム等の樹脂フィルムを含み、更に紙の範囲を越えて布等も含む意味で用いている。これにより表現の複雑化を避けている。  
用紙の厚さも例えば０．３ｍｍ、１．３ｍｍというように種々の厚さのものが含まれる。また、「ロール芯」には大型インクジェットプリンターで一般的に使用されている２インチ紙管と３インチ紙管が含まれる。
【０００９】
本態様によれば、従来、ユーザーが手作業で行っていたロール紙を仮置き部からロール紙ホルダの軸部の高さ位置まで持ち上げる作業を、ロール紙が載る載置部を備えた持ち上げ装置を使用することで重労働無く実行することができる。
【００１０】
また、前記ロール紙持ち上げ装置は、前記載置部を有し上下方向に昇降可能な昇降部と、支点を中心にして回動可能な操作レバーと、前記操作レバーの前記支点寄りの位置において、当該操作レバーの上下方向の回動を前記昇降部の上下動に変換して動力伝達する動力伝達機構と、を備えていることを特徴とする。  
すなわち、ユーザーがロール紙を仮置き部からロール紙ホルダの軸部の高さ位置まで持ち上げる作業を、支点を中心にして回動可能な操作レバーを使用して行っており、更に該操作レバーの前記支点寄りの位置において、当該操作レバーの回動力を動力伝達機構によって前記昇降部の上下動に変換して動力伝達し、前記載置部を上下動させている。
【００１１】
従って、てこの原理により小さな力でロール紙を持ち上げることが可能になる。  
この場合、操作レバーが昇降部に作用する部位が作用点になり、操作レバーを握る位置が力点になるから、前記支点から力点までの回転半径を前記支点から作用点までの回転半径よりも大きくする程、より小さな力でロール紙を持ち上げることが可能になる。
【００１２】
本発明の第２の態様は、前記第１の態様に係る記録装置において、前記仮置き部は、用紙幅方向に並設された少なくとも二本の棒体と、前記棒体に対してスライド可能に取り付けられると共に、前記ロール紙の端部を仮置き可能に構成されたスライド部とを備え、前記スライド部に仮置きされた状態のロール紙と、前記棒体との間に人の手が入る隙間が形成されるように構成されていることを特徴とするものである。
【００１３】
本態様によれば、従来、仮置き部として使用されていた既存の棒体に、前記ロール紙の端部を仮置き可能に構成されたスライド部が設けられているので、先ずは当該スライド部を、ロール紙を仮置き部に仮置きする際の該ロール紙の端部の目標位置として利用することができ、操作性が向上する。  
また、ロール紙の幅寸法の違いに対して、該スライド部を適宜スライド移動することにより、前記幅寸法の違いに容易に対応することが可能になる。
【００１４】
また、前記スライド部に仮置きされた状態のロール紙と、前記棒体との間に人の手が入る隙間が形成されるように構成されているので、ロール紙の下面側と棒体との間に人の手が入るスペースが形成され、ロール紙を仮置き部に仮置きする際の作業が容易になる。
【００１５】
本発明の第３の態様は、前記第２の態様に係る記録装置において、前記ロール紙持ち上げ装置の前記載置部は、前記昇降部が上下動する範囲の下限位置に位置している時の該載置部の載置面の位置が前記スライド部の仮置き面の位置と同一に構成されていることを特徴とするものである。  
ここで、「該載置部の載置面の位置が前記スライド部の仮置き面の位置と同一に構成されている」における「同一」とは、本願明細書及び特許請求の範囲においては、スライド部の仮置き面にロール紙の端部を仮置きしたときに該端部が前記載置部にも接触して該載置部に載置されたと言える状態になる意味で使われている。すなわち、ロール紙の端部がスライド部に実質的に支持され前記載置部には軽く接触している程度の状態から、該載置部だけでロール紙の端部を支持している状態までを含む意味で使われている。
【００１６】
本態様によれば、ロール紙の端部をスライド部に載せることで、当該ロール紙持上げ装置の載置部に載せたことになるので、ロール紙持上げ装置の操作レバーを回動させるに際して、回動当所からロール紙の重量を感じて行えるので、力加減の感覚的な把握がし易く操作性が向上する。
【００１７】
本発明の第４の態様は、前記第１の態様に係る記録装置において、前記仮置き部は、用紙幅方向に並設された少なくとも二本の棒体を備え、前記ロール紙持ち上げ装置は、前記の棒体に対してスライド可能に取り付けられるスライド部を備え、該スライド部の上面の位置は、前記棒体の最上点より下方に位置され、前記載置部は前記スライド部に対して前記棒体の最上点より下方の位置から上方に移動し、該棒体上に仮置きされているロール紙の端部を持ち上げるように構成されていることを特徴とするものである。
【００１８】
本態様によれば、ロール紙を仮置き部を成す棒体の上に仮置きする際に、該棒体の上にスライド部が突出していないので、該スライド部が前記仮置きの操作の障害にならず、それでいてスライド部の位置は視認できるので、前記第３の態様と同様に、該スライド部をロール紙を仮置き部に仮置きする際の該ロール紙の端部の目標位置として利用することができ、操作性が向上する。
【００１９】
そしてユーザーは、スライド部の存在による障害を気にすることなく従来通り、並設された棒体上にロール紙を仮置きし、その後のスライド部の設置位置の適宜の調整と操作レバーの回動操作とによってロール紙の端部をロール紙ホルダの軸部の高さ位置まで持ち上げることができる。
【００２０】
本発明の第５の態様は、前記第１の態様から第４の態様のいずれか一つの態様に係る記録装置において、前記載置部は、ロール紙の傾斜姿勢に追従して揺動可能に構成されていることを特徴とするものである。
【００２１】
本態様によれば、その揺動可能な構造によって傾斜姿勢のロール紙が載置部に載置されて該載置部のエッジ等にロール紙の周胴部が当たってもロール紙を傷付けることがない。また、ロール紙が傾斜していてもロール紙の周胴部に載置部の載置面全体が一様に接触するため、ロール紙にロスなく動力が伝達されるようになる。
【００２２】
本発明の第６の態様は、前記第１の態様から第５の態様のいずれか一つの態様に係る記録装置において、前記ロール紙ホルダは、該ロール紙ホルダの支持本体部に、ロール紙の傾斜姿勢に対応して前記軸部の角度を可変にする可変部を介して取り付けられていることを特徴とするものである。
【００２３】
本態様によれば、可変部の存在によって、傾斜姿勢で持ち上げられたロール紙のロール芯の中心線方向に対してロール紙ホルダの軸部の軸芯方向を一致させることが可能になる。従って、前記ロール芯の芯口と前記軸部との位置合わせが容易になり、ロール紙ホルダに容易にロール紙を装着できるようになる。
【００２４】
本発明の第７の態様は、前記第１の態様から第６の態様のいずれか１つの態様に係る記録装置において、前記昇降部は、前記載置部と、該載置部から下方に延設される棒状部材と、を備えており、前記棒状部材が前記スライド部に設けられている案内部に案内されることで当該昇降部は鉛直方向に上下動するように構成されていることを特徴とするものである。
【００２５】
本態様によれば、前記載置部は、前記棒状部材と共に鉛直方向に上下動するから、載置部に載置されたロール紙は鉛直方向上方に持ち上げられるようになる。従って、仮置き台に仮置きされたロール紙のロール芯の中心線とロール紙ホルダの軸部の軸芯とが鉛直方向の同一平面上に位置するように配置しておけば、ロール紙をロール紙ホルダの軸部の高さ位置まで持ち上げると同時に前記ロール芯の中心線と前記軸部の軸芯との前後方向の位置合わせも自動的に実行される。
【００２６】
本発明の第８の態様は、前記第１の態様、第２の態様、第４の態様、第５の態様、第７の態様のいずれか一つに記載されたロール紙持ち上げ装置である。  
ここで、当該ロール紙持上げ装置は、記録装置用の持ち上げ装置に限定されない。  
本態様によれば、ロール紙使用装置において、前記各態様に記載の作用効果が得られる。
【図面の簡単な説明】
【００２７】
【図１】本発明に係る記録装置の全体構成の概略を示す側断面図。
【図２】本発明の第１の実施例に係る持ち上げ装置周辺の斜視図。
【図３】同上、持ち上げ装置を示す側面図。
【図４】同上、持ち上げ装置の下限位置における正面図。
【図５】同上、持ち上げ装置の上限位置における正面図。
【図６】同上、持ち上げ装置の下限位置における平面図。
【図７】本発明の第２の実施例に係る持ち上げ装置の側面図。
【図８】本発明の第３の実施例に係る持ち上げ装置の正面図。
【図９】本発明の第４の実施例に係る持ち上げ装置を示す側面図。
【図１０】本発明の第５の実施例に係るロール紙ホルダの可変部を示すロール紙位置合わせ時の正面図。
【図１１】本発明の他の実施例に係る持ち上げ装置を示す側面図。
【発明を実施するための形態】
【００２８】
以下、図１〜図６に示す第１の実施例と、図７に示す第２の実施例と、図８に示す第３の実施例と、図９に示す第４の実施例と、図１０に示す第５の実施例とを例にとって、本発明の記録装置１の構造と作動態様について具体的に説明する。最初に図１に基づいて本発明の記録装置１の全体構成の概略を説明する。
【００２９】
図１に本発明の記録装置の実施例として大型のインクジェットプリンター１の全体構成の概略を図示している。このインクジェットプリンター１は、下端部に移動用のキャスター１５を有する側面視逆Ｔ字形の支持フレーム１７を対向するように左右両端部に備えている。  
前記支持フレーム１７の上部には、プリンター本体１９が設けられており、該プリンター本体１９の内部には、キャリッジガイド軸２１に沿って主走査方向となる用紙幅方向Ｂに往復移動可能なキャリッジ２３が配設されている。
【００３０】
また、前記キャリッジ２３の一例として下面には、用紙Ｐの被記録面に各色のインクを吐出して記録を実行する記録ヘッド２５が設けられており、該記録ヘッド２５の下方には所定のギャップＰＧを隔てて用紙Ｐの下面を支持して用紙Ｐの搬送を案内する支持部材２７が設けられている。  
また、前記記録ヘッド２５と支持部材２７の用紙搬送方向Ａの上流位置には、一対のニップローラーによって構成されている搬送用ローラー２９が設けられている。そして、後述するロール紙ホルダ３から繰り出された用紙Ｐは、前記搬送用ローラー２９に挟持されることで用紙Ｐに搬送力が付与されるようになっている。
【００３１】
また、前記プリンター本体１９の用紙搬送方向Ａの上流位置となる後方位置には、予備加熱用のプレヒーター３１が設けられており、前記プリンター本体１９の用紙搬送方向Ａの下流位置となる前方位置には、インク乾燥用のアフターヒーター３３が設けられている。  
そして、前記プレヒーター３１の用紙搬送方向Ａの上流位置には、ロール紙Ｒを繰り出し可能に保持する軸部１３を備えたロール紙ホルダ３が設けられており、該ロール紙ホルダ３の下方に支持フレーム１７から延びるサブフレーム３５によって支持されているロール紙Ｒの仮置き台５が設けられている。
【００３２】
ロール紙ホルダ３は、ロール紙Ｒの両端部を保持する部材で、向い合わせで一対配設されている。そして、このうち少なくとも一方のロール紙ホルダ３が、ロール紙Ｒの幅寸法の違いに対応して用紙幅方向Ｂにスライドし取付け位置を調整できるように構成されている。
【００３３】
具体的には、ロール紙Ｒの側端面４に接触してロール紙Ｒを保持する円板状のフランジ部９と、該フランジ部９から内方に向って水平に突設され、ロール紙Ｒのロール芯１１の芯口１２内に挿入されてロール紙Ｒを保持する一例として丸棒状の軸部１３と、を備えることによってロール紙ホルダ３は構成されている。
【００３４】
一方、仮置き台５は、前記ロール紙ホルダ３にロール紙Ｒを装着するのに先立ってロール紙Ｒを仮置きするのに使用される部材である。  
仮置き台５は、具体的には、図１、図２に示すように、ロール紙Ｒを仮置きした時にロール紙Ｒが落下しない間隙を隔てて平行に配設される用紙幅方向Ｂに並設された少なくとも二本の棒体７Ａ、７Ｂを備えている。仮置き台５は、ロール紙Ｒを仮置きできればよく、前記二本の棒体７Ａ、７Ｂを備える構造に限定されないことは勿論である。  
【００３５】
後述するロール紙持ち上げ装置２の支持部材を兼ねたスライド部８が、前記棒体７Ａ、７Ｂに対してスライド可能に取り付けられている。棒体７Ａ、７Ｂは、本実施例では断面円形の丸棒で形成されている。尚、スライド部８は、前記一対のロール紙ホルダ３のそれぞれに対応して同じく一対設けられている。
【００３６】
更に、インクジェットプリンター１には、ロール紙持ち上げ装置２が設けられている。該持ち上げ装置２は、前記仮置き台５に置かれたロール紙Ｒの端面を前記ロール紙ホルダ３の軸部１３の高さ位置Ｈまで持ち上げてロール紙Ｒのロール芯１１の芯口１２と前記軸部１３との位置合わせを可能にする部材で、ロール紙Ｒが載る載置部４３がその上部に備えられている。  
この他、前記アフターヒーター３３の用紙搬送方向Ａの下流位置には、記録が実行された用紙Ｐを巻き取る巻取り装置３７が設けられており、巻き取られるロール紙Ｒは用紙支持構造３９に支持されている。
【００３７】
［第１の実施例］（図１〜図６参照）
第１の実施例に係るインクジェットプリンター１Ａは、以下のように構成されている。  該インクジェットプリンター１Ａの仮置き台５は、前記二本の棒体７Ａ、７Ｂと、前記スライド部８とを備えて構成されている。
【００３８】
ここで、スライド部８は、一例としてその上面形状が、中央が低く、前後両端のコーナー部が高くなる浅い凹部形状に形成され、該スライド部８の上面は前記ロール紙Ｒの端部を仮置き可能な仮置き面１０になっている。そして、図４に示したように、前記スライド部８に仮置きされた状態のロール紙Ｒの下面と、前記棒体７Ａ、７Ｂの上面との間に人の手が入る隙間Ｓが形成されるように構成されている。  
即ち、スライド部８は、前記棒体７Ａ、７Ｂの上面との間に前記隙間Ｓが形成されるように当該スライド部８の仮置き面１０の位置が該棒体７Ａ、７Ｂの上方に位置するように構成されている。
【００３９】
因みに、このような隙間Ｓを形成することによって、前記ロール紙Ｒと前記棒体７Ａ、７Ｂとの間に人の手が入るスペースが存在することになるので、ロール紙Ｒを仮置き台５に仮置きする際の作業がし易くなる。  
また、従来、仮置き部として使用されていた既存の棒体７Ａ、７Ｂに、前記ロール紙Ｒの端部を仮置き可能に構成されたスライド部８が設けられているので、当該スライド部８を、ロール紙Ｒを仮置き台５に仮置きする際の該ロール紙Ｒの端部の目標位置として利用することができ、操作性が向上する。
【００４０】
前記スライド部８は、本実施例では、図２、図３に示すように、後述する昇降部４５が上下動する範囲の下限位置に位置している時に該昇降部４５を収容する領域となり、更に後述する操作レバー４７の上下方向の回動を可能にする領域となる間隙部５３が形成されるように配置される二枚の側板部５５、５５を備えている。そして、これら二枚の側板部５５、５５を貫くように設けられている前記棒体７Ａ、７Ｂと嵌合する嵌合穴５７Ａ、５７Ｂと、前記二枚の側板部５５、５５に挟まされるようにこれらの中間部に設けられている前述した案内部５１とを、更に備えている。
【００４１】
次に、第１の実施例に係るインクジェットプリンター１Ａのロール紙持ち上げ装置２Ａは、ロール紙Ｒが載る載置部４３を有すると共に上下方向に昇降可能な昇降部４５と、該昇降部４５の支持部材を兼ねる前記スライド部８と一体になってスライド可能に棒体７Ｂに取り付けられ該棒体７Ｂの中心位置を支点Ｏにして回動可能な操作レバー４７と、前記操作レバー４７の前記支点Ｏ寄りの位置において、当該操作レバー４７を前記載置部４３の下面に当接させ、当該操作レバー４７の上下方向の回動を前記昇降部４５の上下動に変換して動力伝達する動力伝達機構４９と、を備えることによって構成されている。
【００４２】
前記載置部４３は、本実施例においては、図２、図３に示すように、前記スライド部８の仮置き面１０とほぼ同じ形状に形成されている。すなわち、載置部４３は、中央が低く、各先端が幾分高くなる傾斜姿勢で対称配置されている二枚の翼板部４３ａ、４３ａと、これら二枚の翼板部４３ａ、４３ａをその中央部において連結する連結部４３ｂとを備えることによって構成されている。
【００４３】
図３に示すように、前記昇降部４５は、前記載置部４３と、該載置部４３から下方に延設される棒状部材４６とを備えている。本実施例では、棒状部材４６は、載置部４３の前記連結部４３ｂに連結されて鉛直方向下方に向けて延びる一例として角棒で形成されている。  
そして、前記棒状部材４６が前記スライド部８に設けられている案内部５１に案内されることで当該昇降部４５は鉛直方向に上下動するように構成されている。本実施例では、棒状部材４６は、前記スライド部８に形成されている一例として角筒状の案内部５１に内嵌され、鉛直方向の上下動が案内されるようになっている。
【００４４】
図２、図３に示すように、前記操作レバー４７は、長尺な板状の部材であるレバー本体部６３の基端部に前記棒体７Ｂに巻き付くように湾曲形成させた支点カール部５９が設けられている。操作レバー４７の自由端側の部位は、ユーザーが手で持って操作する操作部６１になっている。操作部６１は、ユーザーが操作し易いように他の部位に比べて幾分幅狭に形成されている。  
前記レバー本体部６３の幅方向の中心には、長手方向に沿って延びる切欠き部６５が形成されている。該切欠き部６５内には、前記昇降部４５の棒状部材４６が内嵌しており、前記昇降部４５と操作レバー４７との干渉を防止している。
【００４５】
また、前記レバー本体部６３は、初期位置においては前記操作部６１の自由端が低くなるように、自由端寄りの部位で折り曲げられており、該折り曲げられた部位が前記載置部４３の下面に当接する作用点Ｑになっている。  
更に、レバー本体部６３の基端部には、棒体７Ｂに巻き付けるように湾曲形成させた支点カール部５９が設けられており、該支点カール部５９の中心となる棒体７Ｂの軸芯が操作レバー４７の回動中心である支点Ｏになっている。
【００４６】
即ち、前記動力伝達機構４９は、前記支点Ｏに対して上下方向に回動する前記操作レバー４７と、前記載置部４３の下面とで構成されている。そして、操作レバー４７を回動させ、前記作用点Ｑを載置部４３の前記下面に当接させて更に回動を継続することによって、操作レバー４７の上下方向の回動を前記昇降部４５の上下動に変換して動力伝達するようになっている。
【００４７】
そして、前記載置部４３は、前記昇降４５部が上下動する範囲の下限位置（図３の二点鎖線）に位置している時の該載置部４３の載置面４４の位置が前記スライド部８の仮置き面１０の位置と同一になるように構成されている。  
この同一構造によって、ロール紙Ｒの端部を仮置き工程で前記スライド部８に載せることで、当該ロール紙持上げ装置２Ａの載置部４３に載せたことになるので、ロール紙持上げ装置２Ａの操作レバーを回動させるに際して、回動当所からロール紙の重量を感じて行えるので、力加減の感覚的な把握がし易く操作性が向上する。
【００４８】
次に、このような構造の第１の実施例に係るインクジェットプリンター１Ａを使用してロール紙Ｒの端部を前記ロール紙ホルダ３の軸部１３の高さ位置Ｈまで持ち上げるときの作動態様について説明する。
【００４９】
即ち、本実施例では、前記ロール紙持ち上げ装置２Ａが、てこの原理を使用して小さな力でロール紙Ｒを持ち上げることができる構造になっている。  
具体的には、操作レバー４７が前記昇降部４５に当接するレバー本体部６３の折り曲げられた部位が前述したように作用点Ｑになり、操作レバー４７の操作部６１を握る位置が力点Ｆになる。また、前記支点カール部５９によって棒体７Ｂに対して回動可能に接続されている支点カール部５９の中心の棒体７Ｂの軸芯が前述したように支点Ｏになる。
【００５０】
そして、本実施例では、前記支点Ｏから力点Ｆまでの回転半径ｒ１が支点Ｏから作用点Ｑまでの回転半径ｒ２より大きくなっているから、ユーザーはより小さな力でロール紙Ｒを持ち上げることが可能になる。  
また、操作レバー４７は、ロール紙Ｒに接触することなく、昇降部４５の載置部４３を介してロール紙Ｒに動力を伝えているから、ロール紙Ｒの持ち上げ時にロール紙Ｒに傷を付けることもない。
【００５１】
更に、昇降部４５は案内部５１に案内されて鉛直方向に上下動するから、仮置き台５に置かれたロール紙Ｒのロール芯１１の中心線Ｌ２と、ロール紙ホルダ３の軸部１３の軸芯Ｌ１とが予め鉛直方向の同一平面上に位置するように配置しておけば、ロール紙Ｒをロール紙ホルダ３の軸部１３の高さ位置Ｈまで持ち上げると同時に前記ロール芯１１の中心線Ｌ２と前記軸部１３の軸芯Ｌ１との前後方向の位置合わせも自動的に実行されるようになる。
【００５２】
そして、前記ロール紙Ｒとロール紙ホルダ３の上下方向と前後方向の位置合わせの完了後、ロール紙ホルダ３の軸部１３をロール紙Ｒのロール芯１１の芯口１２に挿入し、ロール紙Ｒの側端面４をロール紙ホルダ３のフランジ部９の内側面に当接させれば、ロール紙ホルダ３に対するロール紙Ｒの片側の装着が完了する。  
同様に他方のロール紙ホルダ３にロール紙Ｒの他方の端部を装着すれば、ロール紙ホルダ３に対するロール紙Ｒの両端のセットが終了し、ロール紙Ｒは記録の実行が可能な水平姿勢で保持された状態になる。
【００５３】
［第２の実施例］（図７参照）
第２の実施例に係るインクジェットプリンター１Ｂは、操作レバー４７の動力伝達部位に操作レバー４７と昇降部４５とを連結する連結機構６７を適用した点を除いて、前記第１の実施例に係るインクジェットプリンター１Ａと同様の構成を有している。従って、ここでは前記第１の実施例と相違する第２の実施例特有の前記連結機構６７の構成を中心に説明する。
【００５４】
図７に示すように、本実施例では、載置部４３の２枚設けられている翼板部４３ａの一方に長穴６９が形成されている連結板７１が設けられている。また、操作レバー４７のレバー本体部６３の屈曲部には、前記長穴６９と係合する連結軸７３が設けられており、これら連結板７１と連結軸７３を備える連結機構６７を操作レバー４７の動力伝達部位に適用した持ち上げ装置２Ｂを備えている。
【００５５】
そして、このような構成の第２の実施例に係るインクジェットプリンター１Ｂによっても、前記第１の実施例と同様の作用、効果が得られ、ロール紙Ｒの持ち上げ時のユーザーの負担が軽減されている。  
また、本実施例の場合には、操作レバー４７と昇降部４５との連結より両者の離間が構造的に防止されているから、操作レバー４７の急激な回動等によって生ずる操作レバー４７と昇降部４５との不用意な離間による部品の破損や載置部４３からのロール紙Ｒの脱落が防止されている。
【００５６】
［第３の実施例］（図８参照）
第３の実施例に係るインクジェットプリンター１Ｃは、載置部４３と棒状部材４６との間に揺動機構７５を適用した点を除いて、前記第１の実施例に係るインクジェットプリンター１Ａと同様の構成を有している。従って、ここでは前記第１の実施例と相違する第３の実施例特有の前記揺動機構７５の構成を中心に説明する。
【００５７】
図８に示すように、本実施例では、載置部４３の連結部４３ｂの下方に前記棒状部材４６の上端部の前面と後面を挟むように突出させた２枚の揺動舌片７７、７７（図８では一方の揺動舌片７７のみが見えている）を形成し、当該対向する２枚の揺動舌片７７、７７と前記棒状部材４６の上端部の前面と後面を貫くように揺動軸７９を設けることで揺動機構７５が構成されている。
【００５８】
そして、このような揺動機構７５を適用した持ち上げ装置２Ｃを備える本実施例に係るインクジェットプリンター１Ｃによっても、前記第１の実施例と同様の作用、効果が得られ、ロール紙Ｒ持ち上げ時の負担が軽減されている。  
また、本実施例の場合には、ロール紙Ｒの傾斜姿勢に合わせて載置部４３を揺動軸７９を中心に左右方向に揺動させることができるので、載置部４３のエッジ等でロール紙Ｒの周胴部を傷付けることはなく、ロール紙Ｒの周胴部に全面接触するように載置部４３を作用させてロール紙Ｒにロスなく動力が伝達されるようになっている。
【００５９】
［第４の実施例］（図９参照）
第４の実施例に係るインクジェットプリンター１Ｄは、スライダ部８の上面の位置が棒体７Ａ、７Ｂの最上点Ｔより下方位置になるように構成されている。そして、載置部４３の前後方向の長さが並設されている棒体７Ａ、７Ｂ間の隙間を通過できるように短く形成されている。これらの点を除いて、前記第１の実施例に係るインクジェットプリンター１Ａと同様の構成を有している。従って、ここでは前記第１の実施例と相違する第４の実施例特有の前記構成を中心に説明する。
【００６０】
図９に示すように、本実施例では、スライダ部８の上面の位置は、前記棒体７Ａ、７Ｂの最上点Ｔより下方位置に設定されており、棒体７Ａ、７Ｂの一部に設けた小径部８１に対して操作レバー４７の基端部に設けられている支点カール部５９が取り付けられている。また、操作レバー４７のレバー本体部６３の一部が凹状に折り曲げられており、下限位置に位置している載置部４３との干渉を防止する退避部８３になっている。
【００６１】
また、前記スライダ部８の上面には、棒体７Ａ、７Ｂ間の隙間を通過できるように前後方向の長さが短く設定された載置部４３が前記第１の実施例と同様、下限位置ではほぼ同一高さになるように構成されている。  
一方、ロール紙Ｒをロール紙ホルダ３の軸部１３の高さ位置Ｈまで持ち上げた上限位置に移行する時には、前記載置部４３を前記棒体７Ａ、７Ｂの最上点Ｔより下方の位置から前記棒体７Ａ、７Ｂ間の隙間を通って前記上限位置まで上方に移動させるようになっている。
【００６２】
そして、このような構成の持ち上げ装置２Ｄを備える本実施例に係るインクジェットプリンター１Ｄによっても、前記第１の実地例と同様の作用、効果が得られ、ロール紙Ｒの持ち上げ時の負担が軽減されている。  
また、ロール紙Ｒを仮置き台５を成す棒体７Ａ、７Ｂの上に仮置きする際に、該棒体７Ａ、７Ｂの上にスライド部８が突出していないので、該スライド部８が前記仮置きの操作の障害にならず、それでいてスライド部８の位置は視認できるので、前記第３の態様と同様に、該スライド部８をロール紙Ｒを仮置き台５に仮置きする際の該ロール紙Ｒの端部の目標位置として利用することができ、操作性が向上する。
【００６３】
また、本実施例の場合には、ユーザーは、スライダ部８の設置位置を気にすることなく、従来通り、並設された棒体７Ａ、７Ｂ上にロール紙Ｒを置き、その後のスライダ部８の設置位置の調整と操作レバー４７の操作とによってロール紙Ｒをロール紙ホルダ３の軸部１３の高さ位置Ｈまで持ち上げることが可能になる。
【００６４】
［第５の実施例］（図１０参照）
第５の実施例に係るインクジェットプリンター１Ｅは、ロール紙ホルダ３に対して首振りを可能にする可変部８５を適用した点を除いて、前記第１の実施例に係るインクジェットプリンター１Ａと同様の構成を有している。従って、ここでは前記第１の実施例と相違する第５の実施例特有の前記可変部８５の構成を中心に説明する。
【００６５】
図１０に示すように、本実施例では、ロール紙ホルダ３と、該ロール紙ホルダ３の支持本体部８７との間にロール紙Ｒの傾斜姿勢に対応して軸部１３の角度を調整し得る可変部８５が設けられている。  
該可変部８５は、ロール紙ホルダ３と支持本体部８７とを所定の角度、回動可能に連結するヒンジ部８９と、ロール紙ホルダ３の軸部１３の軸芯Ｌ１が常時、水平に位置するように付勢する付勢部材９１とを備えることによって基本的に構成されている。
【００６６】
そして、このような構成の可変部８５を備える本実施例に係るインクジェットプリンター１Ｅによっても、前記第１の実地例と同様の作用、効果が得られ、ロール紙Ｒの持ち上げ時の負担が軽減されている。  
また、本実施例の場合には、傾斜姿勢で持ち上げられたロール紙Ｒのロール芯１１の中心線Ｌ２の方向に、ロール紙ホルダ３の軸部１３の軸芯Ｌ１の方向を一致させることが可能になり、前記ロール芯１１の芯口１２と前記軸部１３との位置合わせが容易になり、ロール紙ホルダ３に簡単にロール紙Ｒを装着できるようになる。
【００６７】
［他の実施例］
本発明に係る記録装置１は、以上述べたような構成を基本とするものであるが、本願発明の要旨を逸脱しない範囲内の部分的構成の変更や省略等を行うことも勿論可能である。  
例えば、ロール紙持ち上げ装置２の駆動は、前記各実施例で述べた手動による操作レバー４７ですべて行う他、負荷の大きな動作開始時等、そのうち一部の範囲を自動化して操作レバー４７の回動を補助するようにしたり、完全に自動化した構造のロール紙持ち上げ装置２を適用することも可能である。  
【００６８】
具体的には、図１１に示すように、昇降部４５の棒状部材４６の一面にラック９３を刻設し、該ラック９３に噛み合うピニオンギア９５をモーター９７の出力軸に取り付けて昇降部４５を上下動させるラックピニオン機構等が採用可能である。
【００６９】
この他、操作レバー４７の支点Ｏの位置は、棒体７Ｂの位置に限らず棒体ホルダ８の任意の位置に設定することが可能である。
【符号の説明】
【００７０】
１  インクジェットプリンター（記録装置）、  ２  持ち上げ装置、
３  ロール紙ホルダ、  ４  側端面、  ５  仮置き台、  ７Ａ  棒体、  ７Ｂ  棒体、
８  スライド部（支持部材）、  ９  フランジ部、  １０  仮置き面、
１１  ロール芯、  １２  芯口、  １３  軸部、  １５  キャスター、
１７  支持フレーム、１９  プリンター本体、  ２１  キャリッジガイド軸、
２３  キャリッジ、  ２５  記録ヘッド、  ２７  支持部材、
２９  搬送用ローラー、  ３１  プレヒーター、  ３３  アフターヒーター、
３５  サブフレーム、  ３７  巻取り装置、  ３９  用紙支持構造、  ４１  回転軸、
４３  載置部、  ４３ａ  翼板部、  ４３ｂ  連結部、  ４５  昇降部、
４６  棒状部材、  ４７  操作レバー、       ４９  動力伝達機構、  ５１  案内部、
５３  間隙部、  ５５  側板部、  ５７  嵌合穴、  ５９  支点カール部、
６１  操作部、  ６３  レバー本体部、       ６５  切欠き部、  ６７  連結機構、
６９  長穴、  ７１  連結板、  ７３  連結軸、  ７５  揺動機構、
７７  揺動舌片、  ７９  揺動軸、  ８１  小径部、  ８３  退避部、
８５  可変部、  ８７  支持本体部、  ８９  ヒンジ部、  ９１  付勢部材、
９３  ラック、  ９５  ピニオンギア、       ９７  モーター、  Ｒ  ロール紙、
Ｐ  用紙、  Ａ  用紙搬送方向、  Ｂ  用紙幅方向、  Ｌ１  軸芯、  Ｌ２  中心線、
ＰＧ  ギャップ、  Ｆ  力点、  Ｑ  作用点、  Ｏ  支点、  Ｈ  高さ位置、
ｒ１  回転半径、  ｒ２  回転半径、  Ｓ  隙間、  Ｔ  最上点
【図１】
0005574109.tif 000002
【図２】
0005574109.tif 000003
【図３】
0005574109.tif 000004
【図４】
0005574109.tif 000005
【図５】
0005574109.tif 000006
【図６】
0005574109.tif 000007
【図７】
0005574109.tif 000008
【図８】
0005574109.tif 000009
【図９】
0005574109.tif 000010
【図１０】
0005574109.tif 000011
【図１１】
0005574109.tif 000012